(57)【要約】【課題】引き戸を開いた際に、引き戸用ストッパに作用する衝撃を緩和することができる引き戸用ストッパを提供することである。【解決手段】  吸盤４と一体の本体２に対して、当接部材３とクッション部材５とを設ける。当接部材３は、本体２に対して定点で一体的に固定されている。クッション部材５は、本体２に対して移動限界点に至るまでの範囲で相対移動可能に取り付けられている。引き戸７１に吸盤４で引き戸用ストッパ１を固定し、引き戸７１を開いた際に、別の引き戸７２にクッション部材５が最初に当接し、続いて当接部材３が別の引き戸７２に当接する。その際、引き戸用ストッパ１に作用する衝撃は、クッション部材５で緩和され、その後に当接部材３が別の引き戸７２に当接して引き戸７１の移動を阻止する。そのため、引き戸用ストッパ１は、引き戸７１から外れにくく、さらに引き戸７１の開く範囲を制限することができる。【選択図】図１
2014047518.tif 000002
【特許請求の範囲】
【請求項１】
開閉対象となる引き戸と当該引き戸周辺の部位との間に介在されて開閉対象となる引き戸の開きを規制する引き戸用ストッパであって、
吸盤を備えた本体部と、本体部から吸盤の吸着面に対して横方向に突出する当接部材とを有し、前記当接部材は本体部に対して定点で一体的に固定されているか、或いは移動限界点に至るまでの範囲に限って相対移動可能に取り付けられていて、少なくとも一方方向に力を受けた場合には前記定点あるいは移動限界点で停止して本体部との相対移動が阻止され、
さらに当接部材或いは他の部位にクッション部材が設けられていて、前記当接部材が定点あるいは移動限界点にあるときに受ける衝撃を緩和することが可能であることを特徴とする引き戸用ストッパ。
【請求項２】
当接部材は本体部に対して定点で一体的に固定されており、クッション部材は当接部材が他の部材と接触する接触点よりも外側の位置に突出する突出部を有し、他の部材が本体部に近づく方向に相対移動したとき、クッション部材の突出部が当接部材に先立って接触することを特徴とする請求項１に記載の引き戸用ストッパ。
【請求項３】
クッション部材は、本体部に対して相対移動可能に取り付けられており、付勢部材によって本体部の外側に向かって押圧されていることを特徴とする請求項１又は請求項２に記載の引き戸用ストッパ。
【発明の詳細な説明】
【技術分野】
【０００１】
本発明は、引き戸に設置して、引き戸の開く範囲を制限することができる引き戸用ストッパに関するものである。
【背景技術】
【０００２】
家屋等の建造物には、様々な出入口が設けられており、これらの出入口には、スライド式の扉や窓等の引き戸が設置されることが多い。これらの引き戸には、様々な錠が取り付けられ、防犯に備えられている。すなわち、防犯性を向上させるために、引き戸に対してメインの錠に加えて、別の補助錠を設けることが考えられる。
【０００３】
特許文献１に開示されている吸盤式の防犯ブザー付き留め具は、この補助錠に相当するものであり、吸盤式であるために手軽に着脱が可能である。特許文献１の留め具は、引き違い窓の外窓の室内側のガラス面に取り付けることが想定されている。そして外窓又は内窓がスライド移動すると、内窓の縁が留め具に当接し、外窓又は内窓がそれ以上開かない様に制限すると共に、防犯ブザーが鳴動する。
【先行技術文献】
【特許文献】
【０００４】
【特許文献１】特開平１１−３８９７７号公報
【発明の概要】
【発明が解決しようとする課題】
【０００５】
ところで、昨今は省エネルギの観点から、エアコンの使用を控えようとする意識が高まっている。そのため、夏などには、引き戸を若干開き、風通しが確保されることが多い。しかし、引き戸を若干開いた状態では、施錠ができないため、防犯上問題である。
特許文献１に開示されている留め具は、半開きの外窓に取り付けても効果があると記載されているが、特許文献１の留め具は、半開きの外窓を一旦閉じて再度開くと、内窓の縁が留め具に衝突し、その際に留め具に衝撃が加わる。
ところが、特許文献１の留め具には、この衝撃を和らげる構成がないため、吸盤に衝撃が伝達され、ガラス面から吸盤が外れ易い。そのため、防犯対策としては不十分である。
【０００６】
そこで本発明は、引き戸を開いた際に、衝撃で外れにくい引き戸用ストッパを提供することを目的とする。
【課題を解決するための手段】
【０００７】
上記課題を解決するための請求項１に記載の発明は、開閉対象となる引き戸と当該引き戸周辺の部位との間に介在されて開閉対象となる引き戸の開きを規制する引き戸用ストッパであって、吸盤を備えた本体部と、本体部から吸盤の吸着面に対して横方向に突出する当接部材とを有し、前記当接部材は本体部に対して定点で一体的に固定されているか、或いは移動限界点に至るまでの範囲に限って相対移動可能に取り付けられていて、少なくとも一方方向に力を受けた場合には前記定点あるいは移動限界点で停止して本体部との相対移動が阻止され、さらに当接部材或いは他の部位にクッション部材が設けられていて、前記当接部材が定点あるいは移動限界点にあるときに受ける衝撃を緩和することが可能であることを特徴とする引き戸用ストッパである。
【０００８】
請求項１に記載の発明では、引き戸用ストッパの本体部が吸盤を備えているので、取り付け対象に対して、引き戸用ストッパ本体部を容易に着脱可能である。
また、当接部材が、引き戸用ストッパ本体部に対して定点で一体的に固定されているか、或いは移動限界点に至るまでの範囲に限って相対移動可能に取り付けられているので、当接部材は本体部から外れない。そして、当接部材は、定点あるいは移動限界点で停止して本体部との相対移動が阻止されるので、引き戸の開きが制限される。
さらに、当接部材或いは他の部位にクッション部材が設けられているので、本体部から吸盤の吸着面に対して横方向に突出している当接部材が、少なくとも一方方向に力を受けたときに受ける衝撃を、クッション部材で緩和することが可能である。そのため、本体部を介して吸盤に衝撃が伝達されにくい。すなわち、吸盤に伝達される衝撃は緩和され、引き戸用ストッパは取り付け対象から外れにくい。よって、防犯対策に好適である。
【０００９】
請求項２に記載の発明は、当接部材は本体部に対して定点で一体的に固定されており、クッション部材は当接部材が他の部材と接触する接触点よりも外側の位置に突出する突出部を有し、他の部材が本体部に近づく方向に相対移動したとき、クッション部材の突出部が当接部材に先立って接触することを特徴とする請求項１に記載の引き戸用ストッパである。
【００１０】
請求項２に記載の発明では、当接部材が、本体部に対して定点で一体的に固定されており、クッション部材は当接部材が他の部材と接触する接触点よりも外側の位置に突出する突出部を有しているので、他の部材が本体部に近づく方向に相対移動したときに、クッション部材の突出部が当接部材に先立って接触する。
そのため、他の部材から引き戸用ストッパに掛かる衝撃が、クッション部材によって緩和される。よって、引き戸用ストッパは、取り付け対象から外れにくい。
また、他の部材に対してクッション部材が当接した後に、当接部材が他の部材と接触して、当接部材と他の部材の相対移動が停止する。そのため、引き戸の開きを良好に制限することができ、防犯性が高い。
【００１１】
請求項３に記載の発明は、クッション部材は、本体部に対して相対移動可能に取り付けられており、付勢部材によって本体部の外側に向かって押圧されていることを特徴とする請求項１又は請求項２に記載の引き戸用ストッパである。
【００１２】
請求項３に記載の発明では、クッション部材は、本体部に対して相対移動可能に取り付けられており、さらにクッション部材は、付勢部材によって本体部の外側に向かって押圧されているので、他の部材がクッション部材に衝突すると、クッション部材が付勢部材に押圧されながら本体部に対して相対移動し、受けた衝撃が緩和される。そのため、引き戸用ストッパは、取り付け対象から外れにくい。
【発明の効果】
【００１３】
本発明の引き戸用ストッパは、引き戸を開いた際に、他の部材が衝突して生じる衝撃によって外れにくい。そのため、引き戸の開く範囲を良好に制限することができ、高い防犯性を発揮することができる。
【図面の簡単な説明】
【００１４】
【図１】引き戸用ストッパが装着された窓の正面図であり、（ａ）は、窓が閉じている状態を示し、（ｂ）は、窓が引き戸用ストッパに当接する位置まで開いた状態を示す。
【図２】引き戸用ストッパの斜視図である。
【図３】図２の引き戸用ストッパの分解斜視図である。
【図４】引き戸用ストッパの正面図であり、（ａ）は、図１（ａ）のＡ部拡大図であり、（ｂ）は、図１（ｂ）のＢ部拡大図である。
【図５】引き戸用ストッパの主要部の断面図であり、（ａ）は、図４（ａ）に対応する状態を示し、（ｂ）は、図４（ｂ）に対応する状態を示す。
【図６】本体部と吸盤部材の関係を示す断面図であり、（ａ）は、吸着が解除されている状態を示し、（ｂ）は、吸着が解除されている状態と、吸着状態の中間の状態を示し、（ｃ）は、吸着状態を示す。
【図７】内窓及び外窓が開かない様に、引き戸用ストッパを設置した窓の正面図である。
【図８】図２とは別の引き戸用ストッパの主要部の断面図であり、（ａ）は、引き戸用ストッパが内窓に当接した瞬間の状態を示し、（ｂ）は、（ａ）の状態から引き戸用ストッパが内窓に押圧されて移動限界点で停止した状態を示し、（ｃ）は、（ｂ）の状態から引き戸用ストッパがさらに内窓に押圧されて、押圧部材が移動限界点に達した状態を示す。
【発明を実施するための形態】
【００１５】
図１に示す様に、引き戸用ストッパ１が、引き戸式の窓７０に取り付けられている。図２に示す様に、引き戸用ストッパ１は、本体２、当接部材３、クッション部材５、吸盤部材４（吸盤）を有する。
【００１６】
図３に示す様に、本体２には、当接部材３、クッション部材５、吸盤部材４、２つの化粧部材８が各々装着されている。以下、順に説明する。
【００１７】
本体２は、樹脂成形部材であり、平面視すると円形の土台９の中央に、土台９の直径方向にのびる略直方体形状の隆起部１０が形成されている。すなわち、隆起部１０は、土台９の中心を通り、土台９の２箇所の外周端に至って形成されている。また、土台９の外周部分には、環状の支持壁５１が設けられている。隆起部１０を含む土台９と支持壁５１によって、本体２には空間１１（図６（ａ））が形成されている。
【００１８】
図３に示す様に、隆起部１０は、表面部１７、側部１５、１６、端部１８、１９を有する。側部１５、１６は、表面部１７の長手方向に沿う部位である。端部１８、１９は、表面部１７と側部１５、１６の、長手方向の両端に位置する部位である。側部１５、１６と端部１８、１９は、表面部１７と土台９とを接続している。
【００１９】
円形の土台９の中心であり、且つ、隆起部１０の表面部１７の中央には、長孔である貫通孔１２が設けられている。また、表面部１７には、貫通孔１２に近い方から順に、係合孔１３、ねじ孔１４が設けられている。係合孔１３、ねじ孔１４は、表面部１７における貫通孔１２の端部１９側に設けられている。
【００２０】
係合孔１３の開口は長方形形状である。後述する図６（ａ）に示す様に、貫通孔１２、係合孔１３、ねじ孔１４は、いずれも本体２の裏面側の空間１１と連通している。
【００２１】
図３に示す様に、隆起部１０の側部１５の両端付近には、係合孔１５ａ、１５ｂが設けられている。同様に、他方の側部１６の両端付近には、係合孔１６ａ、１６ｂが設けられている。
【００２２】
土台９の外周付近には、係合孔２０、２１が設けられている。係合孔２０、２１を結ぶ直線は、土台９の中心（貫通孔１２）を通っており、隆起部１０と直交している。
【００２３】
次に、当接部材３について説明する。
図３に示す様に、当接部材３は、金属成形部材５２とスポンジ部材５３とで構成されている。
金属成形部材５２は、金属板を複数箇所で折り曲げて形成されており、互いに平行な対向部５４、５５と、接続部５６と、張出部５７とを有している。対向部５４、５５は、接続部５６によって接続されており、対向部５４、５５と接続部５６とで略コの字形状を呈している。
【００２４】
対向部５４、５５には、各々孔５４ａ、５５ａが設けられている。孔５４ａの中心と孔５５ａの中心は、対向部５４、５５と直交する同一の直線上に配置されている。
【００２５】
また、対向部５４には、フック５８が形成されている。フック５８は、対向部５４の一部が切り欠かれて構成されており、フック５８における対向部５４との接続部分は、対向部５４に対して接続部５６と逆方向に屈曲している。さらにフック５８の途中の部位が屈曲し、フック５８の先端は、接続部５６側を向いてのびている。
【００２６】
対向部５４における接続部５６とは反対側には、張出部５７が連続している。張出部５７は、対向部５４に対して、接続部５６とは反対側へ屈曲している。また、張出部５７の幅は、対向部５５の幅よりも広く、張出部５７の両側には幅広部５７ａ、５７ｂが形成されている。幅広部５７ａ、５７ｂには、対向部５５側へのびる突出部６０ａ、６０ｂが設けられている。
【００２７】
張出部５７における接続部５６とは反対側の面には、薄板状のスポンジ部材５３が貼付されている。
【００２８】
図３に示す様に、クッション部材５は、押圧部材４２とばね４３とで構成されている。
押圧部材４２は、細長い金属板が、長手方向の３箇所で同方向に屈曲し、対向部６１、６２、接続部６３、張出部６４を構成している。
【００２９】
押圧部材４２の一方の端部には対向部６１が配置されており、他方の端部には張出部６４が配置されている。対向部６１は、接続部６３を介して対向部６２と接続されている。また、対向部６２には、押圧部材４２の他方の端部である張出部６４が接続されている。
【００３０】
対向部６１の長さは、対向部６２の長さよりも短い。対向部６１には、先端側から接続部６３との接続部位に至るまで溝６１ａが形成されている。すなわち、対向部６１は、溝６１ａで２箇所に分断されている。対向部６２には、長孔６２ａが設けられている。長孔６２ａは、接続部６３と張出部６４とを結ぶ方向にのびている。また、対向部６２の長孔６２ａと、対向部６１の溝６１ａは、対向している。さらに、長孔６２ａの幅と、溝６１ａの幅は同じである。
【００３１】
張出部６４は、対向部６２と連続すると共に、対向部６２に対して対向部６１側へ屈曲している。また、張出部６４には、合成樹脂製の弾力を有する被覆部材６５が被覆されている。
【００３２】
当接部材３とクッション部材５は、共通のねじ６６で結合されると共に、本体２に対して固定されている。
当接部材３の対向部５４と、クッション部材５側の押圧部材４２の対向部６２が近接又は密着しており、当接部材３の対向部５５と、クッション部材５側の対向部６１が近接又は密着している。そして当接部材３の対向部５４の孔５４ａ、当接部材３の対向部５５の孔５５ａ、押圧部材４２の対向部６１の溝６１ａ、押圧部材４２の対向部６２の長孔６２ａが一致しており、これら孔５４ａ、溝６１ａ、長孔６２ａ、孔５５ａに、ねじ６６が挿通されている。ねじ６６は、本体２のねじ孔１４に螺合している。すなわち、ねじ６６が本体２に螺合することによって、本体２に対して当接部材３とクッション部材５の押圧部材４２が取り付けられている。このとき、当接部材３は、本体２と一体の吸盤部材４の吸着面３２ｃ（図２、図３）に対して横方向に突出している。
【００３３】
また、当接部材３のフック５８は、本体２の係合孔１３に係合している。
よって、当接部材３は、本体２に対して、フック５８とねじ６６の２箇所で固定されている。また。クッション部材５の押圧部材４２は、当接部材３（本体２）に対してねじ６６で固定されると共に、押圧部材４２の対向部６２が、当接部材３の張出部５７の突出部６０ａ、６０ｂの間に配置されており、対向部６２の両側が突出部６０ａ、６０ｂにガイドされながら、ねじ６６が溝６１ａ及び長孔６２ａに対して相対移動し、押圧部材４２は、ばね４３に押圧されながら当接部材３（本体２）に対して往復移動が可能である。
【００３４】
クッション部材５の押圧部材４２の接続部６３と、当接部材３の接続部５６の間には、ばね４３が配置されている。
【００３５】
図２に示す様に、クッション部材５側の押圧部材４２の対向部６２は、当接部材３の張出部５７（スポンジ部材５３）の突出部６０ａと突出部６０ｂの間に配置されている。すなわち、クッション部材５側の押圧部材４２の対向部６２は、当接部材３の張出部５７の突出部６０ａ、６０ｂにガイドされながら、当接部材３の張出部５７と接続部５６とを結ぶ方向に往復移動が可能である。この往復移動の許容範囲は、ねじ６６が、溝６１ａ及び長孔６２ａ内を移動可能な範囲である。
【００３６】
当接部材３は、ねじ６６に対して移動できず、クッション部材５側の押圧部材４２は、ねじ６６に対して、溝６１ａ及び長孔６２ａの範囲で移動可能である。すなわち、クッション部材５側の押圧部材４２は、当接部材３に対して往復移動が可能である。当接部材３の接続部５６に、クッション部材５側の押圧部材４２の接続部６３が接近すると、ばね４３が両接続部５６、６３に押圧される。このとき、押圧部材４２の張出部６４（被覆部材６５）と、当接部材３の張出部５７（スポンジ部材５３）とが同一平面内に配置される。
【００３７】
押圧部材４２が、ばね４３で押圧されて移動すると、押圧部材４２の張出部６４（被覆部材６５）は、図５（ａ）に示す様に、当接部材３の張出部５７（スポンジ部材５３）よりも外側（当接部材３の接続部５６とは反対側）に距離Ｄだけ突出する。また、ばね４３の弾性力に抗して張出部６４（被覆部材６５）が押圧されると、張出部６４（被覆部材６５）は、当接部材３の張出部５７（スポンジ部材５３）の位置まで移動することができ、図５（ａ）に示す距離Ｄが、図５（ｂ）に示す様にゼロになる。
【００３８】
図３に示す様に、吸盤部材４は、吸着部材３２、支柱部材３３、コイルばね３４、操作部材３５、ピン３６を有している。
【００３９】
吸着部材３２は、円形の薄肉状の弾性変形可能な樹脂成形部材である。吸着部材３２の外周の１箇所には突出部３２ａが設けられている。吸着部材３２は、粘着性を有していてもよい。
【００４０】
吸着部材３２の内面３２ｂ（図３で見て上面）の中心部分には、支柱部材３３の一端が固着されている。支柱部材３３の横断面は楕円形状である。支柱部材３３の他端付近には、楕円の幅の狭い方向に貫通する孔３３ａが設けられている。また、支柱部材３３には、コイルばね３４が装着されている。
【００４１】
操作部材３５は、湾曲部３７と、一対の支持部３８、３９とを有している。湾曲部３７は、所定幅の板状の部材が、幅方向と直交する長手方向に所定の曲率で湾曲している。湾曲部３７の湾曲方向の一端３７ａには、凹部５０が設けられている。また、湾曲部３７の他端側には支持部３８、３９が連続している。一対の支持部３８、３９は、同一形状であり、湾曲部３７と湾曲部３７の湾曲の内側方向に湾曲部３７と略直交してのびる板状の部位である。
【００４２】
支持部３８、３９の先端は、滑らかに凸状に湾曲しており、突出部４４を有している。支持部３８、３９は、所定の間隔を置いて対向している。すなわち、湾曲部３７、支持部３８、３９で凹部４０が形成されている。また、支持部３８、３９には、各々孔４１が同芯となるように設けられている。
【００４３】
図３に示す様に、化粧部材８は、引き戸用ストッパ１の主要部を半球状に見せかける意匠部材である。化粧部材８は、球状に湾曲した板状の球面部４５と、平板部４６とを有している。球面部４５は、２つの縁４７ａ、４７ｂを有している。縁４７ａの両端は、縁４７ｂの両端と一致している。縁４７ｂの中央には、係合突起４９が設けられている。平板部４６は、円弧部４６ａと弦部４６ｂとを有する弓形状を呈している。平板部４６の弦部４６ｂには、２つの係合突起４８が離間して設けられている。化粧部材８は、平板部４６の円弧部４６ａと、球面部４５の一方の縁４７ａとが接続されて構成されている。化粧部材８の内部には、球面部４５と平板部４６で空間５９が形成されている。よって、化粧部材８の重量は軽い。
【００４４】
本体２の表面１０ａ側（上側）には吸盤部材４の操作部材３５が配置され、本体２の裏面１０ｂ側（下側）には吸着部材３２が配置され、支柱部材３３が裏面側から、隆起部１０の貫通孔１２を貫通している。貫通孔１２は長孔であり、支柱部材３３は、貫通孔１２にちょうど挿通される形状及び大きさを有している。そのため、支柱部材３３は、貫通孔１２内で回転不能である。
【００４５】
コイルばね３４の一方の端部は、吸着部材３２の内面３２ｂに当接し、コイルばね３４の他方の端部は、本体２の隆起部１０の裏面１０ｂに当接している。図３に示す様に、操作部材３５の支持部３８、３９の間の凹部４０に支柱部材３３が配置され、図４に示す支持部３８、３９の各孔４１と、支柱部材３３の孔３３ａを、共通のピン３６が貫通し、操作部材３５と支柱部材３３が相対回動可能に接続されている。
【００４６】
続いて、図１（ａ）に示す窓７０に対する引き戸用ストッパ１の着脱方法について説明する。
図６（ａ）は、ロック解除状態の引き戸用ストッパ１を示している。
図６（ａ）に示す状態では、操作部材３５の突出部４４は、本体２の隆起部１０の表面１０ａに当接しており、操作部材３５の湾曲部３７の一端３７ａが、本体２の隆起部１０の表面１０ａから相当に離れている。
【００４７】
図６（ｃ）は、ロック状態の引き戸用ストッパ１を示している。
操作部材３５が、ピン３６を中心に、図６（ａ）に示す状態から図６（ｃ）に示す状態へ回転移動する際に、途中で図６（ｂ）に示す状態となる。図６（ｂ）に示す状態の操作部材３５は、突出部４４の最も突出する先端部４４ａが、本体２の表面１０ａに当接し、先端部４４ａが表面１０ａを押圧している。よって、このとき、コイルばね３４の圧縮量（付勢力）が最大となり、本体２の裏面１０ｂと、吸着部材３２とを押圧する力が最大となる。
【００４８】
そして、操作部材３５が、図６（ｂ）に示す状態から図６（ｃ）に示す状態まで回動すると、突出部４４の最も突出する先端部４４ａが表面１０ａから離れ、操作部材３５の湾曲部３７の一端３７ａが、表面１０ａに当接又は最近接する。そのため、図２に示す様に、操作部材３５の湾曲部３７が、化粧部材８ａ、８ｂと同一の球面上に配置される。
【００４９】
コイルばね３４の圧縮量（付勢力）は、図６（ｂ）に示す状態で最大となる。そのため、図６（ｃ）に示す状態から図６（ａ）に示す状態に戻す（すなわち、ロック状態からロック解除状態にする）には、図６（ｂ）に示す状態における、最大になるコイルばね３４の付勢力に抗する力を操作部材３５に作用させなければならない。よって、操作部材３５のロックは、不用意には解除されず、安全である。
【００５０】
窓７０から引き戸用ストッパ１を取り外す際には、操作部材３５のロックを解除する。操作部材３５の一端３７ａには、凹部５０が設けてあるので、使用者は指を凹部５０に引っかけてロック解除操作がし易い。そして、吸盤部材４の吸着部材３２の突出部３２ａを持ち、吸着部材３２をドア６から引きはがすと、引き戸用ストッパ１は窓７０から容易に外れる。
【００５１】
次に、引き戸用ストッパ１の使用方法を説明する。
上述の操作によって、図１（ａ）に示す様に、窓７０の外窓７１の室内側に引き戸用ストッパ１を装着する。引き戸用ストッパ１は、外窓７１に装着されており、内窓７２と距離Ｌだけ離間している。
【００５２】
この状態でクレセント錠７４を解除し、操作部７５を操作して外窓７１を開く。そして、図１（ｂ）に示す様に、窓枠６９と外窓７１の間に隙間７３が生じ、引き戸用ストッパ１が内窓７２に当接する。
【００５３】
図４（ａ）に示す引き戸用ストッパ１のクッション部材５は、内窓７２と離間しており、クッション部材５の押圧部材４２の張出部６４（被覆部材６５）は、内窓７２と接触していない。外窓７１を開くと、引き戸用ストッパ１は外窓７１と共に移動する。
【００５４】
そして、当接部材３の張出部５７から距離Ｄ（図５（ａ））だけ突出しているクッション部材５の押圧部材４２が、最初に内窓７２に衝突する。その際、押圧部材４２は、内窓７２から衝撃を受け、図５（ａ）に示す状態から図５（ｂ）に示す状態へ、ばね４３の弾性力に抗して、距離Ｄがゼロになる（移動限界点）まで移動する。内窓７２から受けた衝撃は、このばね４３の弾性力によって緩和される。また、弾力を有する被覆部材６５によっても、衝撃の一部が緩和される。
【００５５】
押圧部材４２が距離Ｄだけ移動すると、続いて当接部材３の張出部５７（スポンジ部材５３）が内窓７２に当接する。当接部材３の張出部５７は、衝撃が和らいだ状態で内窓７２に当接する。そして、外窓７１は、当接部材３の張出部５７が内窓７２と当接することによって、それ以上開くことができず、図１（ｂ）に示す様に、窓枠６９との間に隙間７３を開けた状態で停止する。
【００５６】
図２に示す様に、当接部材３の張出部５７には、スポンジ部材５３が貼付されている。そのため、当接部材３が内窓７２の縁に当接した際に、内窓７２に傷が付かない。
【００５７】
引き戸用ストッパ１は、内窓７２に対して、最初に押圧部材４２が当接してばね４３によって衝撃が吸収され、その後に当接部材３が内窓７２に当接するので、吸着部材３２（吸盤）は、外窓７１に良好に吸着し続ける。すなわち、引き戸用ストッパ１は、外窓７１から外れない。そのため、外窓７１は、隙間７３以上に開くことができない。隙間７３の大きさを、人の頭部が通過できない大きさに設定することにより、風通しを確保した上に、不審者の侵入を阻止することができる。そのため、引き戸用ストッパ１は、防犯性が高い。
【００５８】
図１（ｂ）では、外窓７１を開ける場合を示したが、操作部７６を操作して内窓７２を開いた場合おいても、引き戸用ストッパ１は、同様に作用する。
【００５９】
また、図７に示す様に、全閉状態の窓７０において、引き戸用ストッパ１の当接部材３（クッション部材５）を内窓７２に当接させておくと、仮にクレセント錠７４を施錠していなくても窓７０はロックされ、開くことができない。そのため、引き戸用ストッパ１は、高い防犯性を発揮することができる。
【００６０】
上述の実施形態におけるクッション部材５（押圧部材４２とばね４３）に、当接部材３としての機能を兼用させ、当接部材３を省略することもできる。すなわち、図８（ａ）〜図８（ｃ）に示す様に、当接部材３の代わりに、断面が略コの字形の取付部材６７を使用し、取付部材６７を介してクッション部材５の押圧部材４２を本体２に装着した構造を有する引き戸用ストッパ９０とすることもできる。図８（ａ）〜図８（ｃ）は、引き戸用ストッパ９０の主要部のみを断面視して描写している。
【００６１】
取付部材６７は、板状の部材が折り曲げられて形成されており、対向部７７、７８と接続部７９とを有する。対向部７７と対向部７８は、平行に配置されて対向しており、接続部７９で接続されている。
【００６２】
図８（ａ）に示す様に、対向部７７には一部が切り欠かれてフック８０が形成されている。また、対向部７７には孔７７ａが設けてあり、対向部７８には孔７８ａが設けてある。孔７７ａと孔７８ａは、ねじ６６で貫通され、ねじ６６は図３に示す本体２のねじ孔１４に螺合されている。さらに、フック８０は、図３に示す本体２の係合孔１３に係合している。引き戸用ストッパ９０のその他の構成は、引き戸用ストッパ１と同様である。
【００６３】
引き戸用ストッパ９０は、図１に示す引き戸用ストッパ１と同様に、外窓７１の室内側に取り付けられる。すなわち、窓７０が全閉の状態では、引き戸用ストッパ９０（クッション部材５の押圧部材４２）は内窓７２の縁から離れている。
【００６４】
そして、外窓７１又は内窓７２を開くと、図８（ａ）に示す様に、引き戸用ストッパ９０は内窓７２の縁に接近し、接触する。さらに、図８（ｂ）に示す様に、引き戸用ストッパ９０の押圧部材４２が、内窓７２にばね４３の弾性力に抗して押圧される。そのため、押圧部材４２の張出部６４（被覆部材６５）から取付部材６７までの距離Ｌ１（図８（ａ））が、距離Ｌ２（図８（ｂ））まで縮まる。そして、ばね４３の弾性力と、内窓７２による押圧部材４２への押圧力とが平衡すると、内窓７２は停止する。
【００６５】
ここで、外窓７１又は内窓７２を無理に開けようとすると、ねじ６６が押圧部材４２の長孔６２ａの縁８２に当接し、押圧部材４２は、取付部材６７（本体２）に対して、これ以上は相対移動できないという移動限界点に達する。このとき、押圧部材４２の張出部６４（被覆部材６５）から取付部材６７までの距離は、図８（ｃ）に示す様に、距離Ｌ３となる。
【００６６】
すなわち、押圧部材４２が、取付部材６７（本体２）に対する移動限界点に達したことによって、外窓７１又は内窓７２は、もはやそれ以上は開くことができなくなる。そして、外窓７１又は内窓７２を無理に開けようとする力がなくなると、外窓７１又は内窓７２は、ばね４３に押し戻されて図８（ｂ）に示す平衡状態に戻る。
【００６７】
上述の実施形態では、引き戸用ストッパ１、９０を窓７０に設置する場合を説明したが、引き戸用ストッパ１は、引き戸全般に使用することができる。
【符号の説明】
【００６８】
１    引き戸用ストッパ
２    本体
３    当接部材
４    吸盤部材（吸盤）
５    クッション部材
１３  係合孔（係合部）
２４  接続部（当接部）
２９  突出部
４２  押圧部材
４３  ばね
【図１】
2014047518.tif 000003
【図２】
2014047518.tif 000004
【図３】
2014047518.tif 000005
【図４】
2014047518.tif 000006
【図５】
2014047518.tif 000007
【図６】
2014047518.tif 000008
【図７】
2014047518.tif 000009
【図８】
2014047518.tif 000010